(57)【要約】【課題】データを光ディスクに記録している時にデータの記録が不可能になっても、全データを１つのＨＤに自動でまとめ、手動編集作業が不要で、且つ容易な再生及びスムーズな再生を行えるようにしたハードディスク付きＤＶＤレコーダを提供する。【解決手段】光ディスクＤに記録したデータ（ＴＶ番組の前半）を記録できる容量をＨＤが有していると判断すると、ＭＰＵ１０５は、光ディスクＤに記録したデータをＨＤに移動させる。つまり、光ディスクＤに記録したデータ（ＴＶ番組の前半）を光ディスクドライブ１０４aに読み出させ、その読み出したデータ（ＴＶ番組の前半）を続きのデータ（ＴＶ番組の後半）とリンクさせてＨＤに記録することをＨＤＤ１０４ｄにさせる。これにより、ＴＶ番組は、１つのメディアであるＨＤにまとめて記録される。【選択図】図３
2007149189.tif 000002
【特許請求の範囲】
【請求項１】
装置本体にセットされている書換え型光ディスクにデータを記録する光ディスクドライブと、
データをハードディスクに記録するハードディスクドライブと、を備えるハードディスク付きＤＶＤレコーダにおいて、
前記ハードディスクドライブは、前記光ディスクドライブがデータを前記書換え型光ディスクに記録している時に該書換え型光ディスクへのデータの記録が不可能になると、その続きのデータを継続して前記ハードディスクに記録し、
前記光ディスクドライブは、前記ハードディスクドライブが前記続きのデータの記録を完了すると、前記書換え型光ディスクに記録したデータを読み出し、
前記ハードディスクドライブは、前記光ディスクドライブが読み出したデータを前記続きのデータとリンクさせて前記ハードディスクに記録し、
前記光ディスクドライブは、前記書換え型光ディスクに記録したデータを読み出すと、その読み出したデータを該書換え型光ディスクから削除し、
前記ハードディスクドライブは、前記光ディスクドライブが読み出したデータを前記続きのデータとリンクさせて前記ハードディスクに記録した後、デフラグメンテーションを行うハードディスク付きＤＶＤレコーダ。
【請求項２】
装置本体にセットされている光ディスクにデータを記録する光ディスクドライブと、
データをハードディスクに記録するハードディスクドライブと、を備えるハードディスク付きＤＶＤレコーダにおいて、
前記ハードディスクドライブは、前記光ディスクドライブがデータを前記光ディスクに記録している時に該光ディスクへのデータの記録が不可能になると、その続きのデータを継続して前記ハードディスクに記録し、
前記光ディスクドライブは、前記ハードディスクドライブが前記続きのデータの記録を完了すると、前記光ディスクに記録したデータを読み出し、
前記ハードディスクドライブは、前記光ディスクドライブが読み出したデータを前記続きのデータとリンクさせて前記ハードディスクに記録するハードディスク付きＤＶＤレコーダ。
【請求項３】
前記光ディスクは、書換え型の光ディスクであり、
前記光ディスクドライブは、前記書換え型の光ディスクに記録したデータを読み出すと、その読み出したデータを該書換え型の光ディスクから削除する請求項２に記載のハードディスク付きＤＶＤレコーダ。
【請求項４】
前記ハードディスクドライブは、前記光ディスクドライブが読み出したデータを前記続きのデータとリンクさせて前記ハードディスクに記録した後、デフラグメンテーションを行う請求項２又は請求項３に記載のハードディスク付きＤＶＤレコーダ。
【発明の詳細な説明】
【技術分野】
【０００１】
本発明は、装置本体にセットされている光ディスクとハードディスクとにデータを記録することができるハードディスク付きＤＶＤレコーダに関するものである。
【背景技術】
【０００２】
従来から、ＨＤ付きＤＶＤレコーダが各種考案されている。ＨＤ付きＤＶＤレコーダは、装置本体にセットされている光ディスクにデータを記録する光ディスクドライブと、データをハードディスク（以下、「ＨＤ」と称する。）に記録するハードディスクドライブ（以下、「ＨＤＤ」と称する。）と、を備える。光ディスクは、例えばＣＤ、又はＤＶＤである。
従来のＨＤ付きＤＶＤレコーダは、ＴＶ番組をＤＶＤに記録中にＤＶＤの残容量がなくなった場合、その続きのデータをＨＤに継続して記録する退避記録を行う。
これにより、従来のＨＤ付きＤＶＤレコーダは、ＴＶ番組をＤＶＤに記録中にＤＶＤの残容量がなくなった場合、上記退避記録を行うことで、ＴＶ番組の記録を途中で中止することなく、ＴＶ番組を最後まで記録することができる。
【０００３】
一方、特許文献１に記載されたようなＨＤ付きＤＶＤレコーダが提案されている。
このＨＤ付きＤＶＤレコーダは、第１のＤＶＤにデータを記録中において、該第１のＤＶＤへの記録が不可能になったとき、その続きのデータをＨＤに継続して記録する退避記録手段と、退避記録終了後、第１のＤＶＤとは別の第２のＤＶＤが装置本体にセットされた場合に、ＨＤに記録されたＴＶ番組を第２のＤＶＤに記録する記録手段と、を備える。
ユーザは、第２のＤＶＤへの記録終了後、手動で編集することにより、２つのＤＶＤにまたがって録画されたＴＶ番組を合成して１つのＤＶＤにまとめることができる。
【特許文献１】特開２００４−３３４８６７公報
【発明の開示】
【発明が解決しようとする課題】
【０００４】
しかしながら、従来のＨＤ付きＤＶＤレコーダにおいて、上記退避記録により記録されたＴＶ番組は、その前半部分がＤＶＤに、その後半部分がＨＤに、分離して記録されることになる。
【０００５】
そのため、後に再生を行う段になった場合、ユーザは、ＴＶ番組の前半部分をＤＶＤで視聴し、その後半部分をＨＤで視聴しなければならなかった。さらに、ＴＶ番組の前半部分を見終わり後半部分をこれから視聴しようという段になると、今度はＨＤにアクセスするが、後半部分が記録されているＨＤの領域にＨＤＤがアクセス（シーク）するまでの時間、ユーザは待たなければならなかった。このように、従来のＨＤ付きＤＶＤレコーダは、後に再生を行う段において、再生が非常に面倒であり、且つスムーズな再生が行われないという問題が生じていた。従って、従来のＨＤ付きＤＶＤレコーダは、後に再生を行う段において、ユーザに苛立ちを感じさせていた。
【０００６】
また、特許文献１においても、ＴＶ番組は、その前半部分が第一のＤＶＤに、その後半部分が第二のＤＶＤに、分離して記録されている点に変わりない。従って、上記従来のＨＤ付きＤＶＤレコーダと同様の問題が生じる。さらに、特許文献１において、２つのＤＶＤにまたがって録画されたＴＶ番組を合成して１つのＤＶＤにまとめることができる旨記載されているが、これは、ユーザが手動で編集を行うことにより、１つのＤＶＤにまとめることができるものである。しかし、ユーザが手動により編集しなければならないというのは大変面倒な作業であり、この点問題である。
【０００７】
本発明はこのような従来の課題を解決しようとするものであり、データを光ディスクに記録している時にデータの記録が不可能になっても、全データを１つのＨＤに自動でまとめ、手動編集作業が不要で、且つ容易な再生及びスムーズな再生を行えるようにしたハードディスク付きＤＶＤレコーダを提供することを目的とする。
【課題を解決するための手段】
【０００８】
本発明のハードディスク付きＤＶＤレコーダは、前記課題を解決するために以下の構成を備えている。
【０００９】
（１）装置本体にセットされている光ディスクにデータを記録する光ディスクドライブと、
データをハードディスクに記録するハードディスクドライブと、を備えるハードディスク付きＤＶＤレコーダにおいて、
前記ハードディスクドライブは、前記光ディスクドライブがデータを前記光ディスクに記録している時に該光ディスクへのデータの記録が不可能になると、その続きのデータを継続して前記ハードディスクに記録し、
前記光ディスクドライブは、前記ハードディスクドライブが前記続きのデータの記録を完了すると、前記光ディスクに記録したデータを読み出し、
前記ハードディスクドライブは、前記光ディスクドライブが読み出したデータを前記続きのデータとリンクさせて前記ハードディスクに記録する。
【００１０】
この構成において、光ディスクは、例えばＣＤ−Ｒ、ＣＤ−ＲＷ、ＤＶＤ−Ｒ、ＤＶＤ＋Ｒ、ＤＶＤ−ＲＷ、ＤＶＤ＋ＲＷ、又はＤＶＤ−ＲＡＭである。光ディスク及びＨＤに記録するデータは、例えばＴＶ番組、撮像した動画、収音した音声、インターネットを含む装置本体外部から送信されてくる映像データ又は映画である。
上記ハードディスクドライブ（以下、ＨＤＤと称する）は、光ディスクドライブがＴＶ番組等を光ディスクに記録中に光ディスクへのデータの記録が不可能になると、その続きのデータ（例えばＴＶ番組の後半）をＨＤに継続して記録する退避記録を行う。光ディスクドライブにおいて光ディスクへのデータの記録が不可能になる場合とは、例えば光ディスクの残容量がなくなった場合である。
上記退避記録により記録されたＴＶ番組等は、その前半部分が光ディスクに、その後半部分がＨＤに、分離して記録されている。
そこで、ＨＤＤは、ＴＶ番組等の記録を完了した後、光ディスクドライブが光ディスクから読み出したデータ（例えばＴＶ番組の前半部分）をその続きのデータ（例えばＴＶ番組の後半）とリンクさせてハードディスクに記録する。これにより、ＴＶ番組等を１つのＨＤにまとめて記録することが可能となる。
以上より、データを光ディスクに記録している時にデータの記録が不可能になっても、全データを１つのＨＤに自動でまとめ、手動編集作業が不要で、且つ容易な再生及びスムーズな再生を行うことができるという効果を奏する。
【００１１】
（２）前記光ディスクは、書換え型の光ディスクであり、
前記光ディスクドライブは、前記光ディスクに記録したデータを読み出すと、その読み出したデータを該光ディスクから削除する。
【００１２】
この構成では、書換え型の光ディスクを扱うことが可能なハードディスク付きＤＶＤレコーダを想定している。
書換え型の光ディスクは、例えばＤＶＤ−ＲＡＭ、ＤＶＤ−ＲＷ、ＤＶＤ＋ＲＷ、又はＣＤ−ＲＷである。
光ディスクドライブが読み出したデータを光ディスクから削除することにより、該光ディスクに空き領域ができる。
以上より、光ディスクに自動で空き領域ができるため、ユーザがこの領域を無駄にすることなく、自由に使えるという効果を奏する。また、全てのデータ（例えばＴＶ番組）がＨＤにまとめて記録されているにも係わらず、ユーザが誤って光ディスクを再生するという無駄な作業をユーザに行わさずに済むという効果を奏する。
【００１３】
（３）前記ハードディスクドライブは、前記光ディスクドライブが読み出したデータを前記続きのデータとリンクさせて前記ハードディスクに記録した後、デフラグメンテーションを行う。
【００１４】
上記（１）において、光ディスクに記録したデータをＨＤに移動させると、ＨＤのデータ配置は、まずＴＶ番組の後半が配置され、続いてＴＶ番組の前半が配置される状況となる。このような配置となる理由は、まずＴＶ番組の後半が記録され、その後にＴＶ番組の前半が記録されるためである。ここでは、ＴＶ番組を例に説明しているが、これに限定されるものではない。
そのため、光ディスクに記録したデータをＨＤに移動させた段階では、ＨＤに所謂断片化（フラグメンテーション）が発生しており、ＴＶ番組の前半部分を見終わり後半部分をこれから視聴しようという段になると、後半部分が記録されているＨＤの領域にＨＤＤがアクセス（シーク）する必要がある。
よって、上記（１）では、ＨＤＤがアクセス（シーク）するまでの時間、ユーザを少し待たせるケースが発生する可能性がある。
そこで、ここでは、デフラグメンテーションをＨＤＤに行わせる。すると、ＨＤのデータ配置状況は、ＴＶ番組の前半が配置され、続いてＴＶ番組の後半が配置される状況となる。言い換えると、ＴＶ番組の前半とＴＶ番組の後半とが合成され、ＴＶ番組は、１つの連続したデータとなってＨＤに記憶される。
これにより、ＨＤの断片化が解消する。ＴＶ番組の前半部分を見終わり後半部分をこれから視聴しようという段において、後半部分が記録されているＨＤの領域にＨＤＤがアクセス（シーク）する必要がなくなる。
以上より、データを光ディスクに記録している時にデータの記録が不可能になっても、ＴＶ番組を１つのＨＤに自動でまとめることで、手動編集作業が不要で、且つ容易な再生及び上記（１）よりスムーズな再生を行うことができるという効果を奏する。
【発明の効果】
【００１５】
この発明によれば、データを光ディスクに記録している時にデータの記録が不可能になっても、全データを１つのＨＤに自動でまとめ、手動編集作業が不要で、且つ容易な再生及びスムーズな再生を行うことができるという効果を奏する。
【発明を実施するための最良の形態】
【００１６】
以下、本発明の実施形態であるハードディスク付きＤＶＤレコーダについて説明する。
【００１７】
図１は、本発明の実施形態であるＨＤ付きＤＶＤレコーダの構成を示すブロック図である。
ＨＤ付きＤＶＤレコーダ１は、記録指示に応じて入力されたデータを所定のメディアに記録し、再生指示に応じて既に記録されているデータを再生する記録再生部１０４と、記録再生部１０４への記録及び記録再生部１０４からの再生、及び以下に説明する各部の動作を制御するマイクロコンピュータ（ＭＰＵすなわち主制御装置）１０５と、を備える。
【００１８】
記録再生部１０４は、例えばＤＶＤ（Ｄｉｇｉｔａｌ  Ｖｅｒｓａｔｉｌｅ  Ｄｉｓｋ）規格に準拠して製造された光ディスクＤに、（ＴＶ番組等の）データの記録及び再生が可能な光ディスクドライブ１０４ａと、光ディスクドライブ１０４ａにセットされた光ディスクＤに記録されるデータあるいは光ディスクＤから再生されたデータの一定量を一時的に保持可能なバッファリングメモリとして機能する一時記録部１０４ｂと、内蔵する不図示のＨＤに大容量データを記録可能なＨＤＤ（ハードディスクドライブ）１０４ｄと、データプロセッサ１０４ｃと、を備える。
光ディスクＤは例えば追記録可能なＤＶＤ−Ｒ、書換え可能なＤＶＤ−ＲＡＭ等の記録可能光ディスクとする。
なお、この実施形態では、光ディスクＤをＤＶＤとしているが、説明を簡略に行うためであり、ＣＤでも構わない。
【００１９】
データプロセッサ１０４ｃは、ＭＰＵ１０５の制御に従って、エンコーダ部１０３から出力された記録データを光ディスクドライブ１０４aに供給したり、光ディスクＤの再生信号を光ディスクドライブ１０４aから取り込み、デコーダ部１０６に供給する。
光ディスクドライブ１０４aは、ＭＰＵ１０５の制御に従って、光ディスクＤに記録された管理データを書替えたり、記録されたデータの削除を行う。
【００２０】
さらに、データプロセッサ１０４ｃは、ＭＰＵ１０５の制御に従って、エンコーダ部１０３から出力された記録データをＨＤＤ１０４ｄに供給したり、ＨＤＤ１０４ｄからの再生信号をデコーダ部に供給する。
ＨＤＤ１０４ｄは、ＭＰＵ１０５の制御に従って、ＨＤに記録された管理データを書替えたり、記録されたデータの削除を行う。さらに、ＨＤＤ１０４ｄは、デフラグメンテーションをＨＤに行うデフラグ機能を有する。
【００２１】
さらに、データプロセッサ１０４ｃは、ＭＰＵ１０５の制御に従って、光ディスクドライブ１０４aから読み出されたデータをＨＤＤ１０４ｄに供給したり、ＨＤＤ１０４ｄから読み出されたデータを光ディスクドライブ１０４aに供給したりする。
【００２２】
ＡＶ入力端子１０１は、記録対象である映像信号や音声信号等を装置本体１外部から入力し、接続されているエンコーダ部１０３に出力する。外部には、例えばインターネット、撮像装置が接続されている。
チューナ１０２は、例えば放送事業者等に代表される情報配信者から配信されるテレビ放送信号が受信されるアンテナ（不図示）と接続されている。そして、チューナ１０２は、アンテナで受信したテレビ放送信号から選択されているチャンネルのテレビ放送信号を抽出し、エンコーダ部１０３に出力する。テレビ放送信号は、例えばＭＰＥＧ２で圧縮された信号である。
【００２３】
エンコーダ部１０３は、ＡＶ入力端子１０１から入力された映像信号や音声信号をエンコードして圧縮し、記録データとして、データプロセッサ１０４ｃに出力する。
また、エンコーダ部１０３は、チューナ１０２から入力されたテレビ放送信号から映像信号、音声信号を分離する。そして、エンコーダ部１０３は、映像信号や音声信号をエンコードして圧縮し、記録データとして、データプロセッサ１０４ｃに出力する。
【００２４】
デコーダ部１０６は、記録再生部１０４から出力された再生信号をデコードして伸長する。デコーダ部１０６には、（デコーダ部１０６により）デコードされた再生信号を、テレビ等の再生装置に供給するためのＡＶ出力端子１０７が接続されている。
【００２５】
ＭＰＵ１０５には、タイマーマイコン１０９が接続されている。
タイマーマイコン１０９は、ＨＤ付きＤＶＤレコーダ１の時間管理に利用されるタイマー回路（時計ユニット）１０９ａを有している。タイマーマイコン１０９には、ユーザからの操作（指示）を受け付けるユーザ操作入力部１１０が接続されている。
【００２６】
また、ＭＰＵ１０５には、録画予約情報あるいは装置１本体の動作状態を表示する表示部１０８と、制御プログラムと録画予約情報等とを記憶するメモリ１１１と、が接続されている。
メモリ１１１は、２つのパーティションで分けられており、録画予約情報を記憶する録画予約情報テーブル１１１ａと、１１１ａ以外の制御プログラムが記録される領域と、に分かれている。
なお、録画予約情報は、その録画が可能であれば録画予約情報テーブル１１１ａに登録される。この録画予約情報には、放送局ＩＤ、録画予約された放送番組のチャンネル（録画予約チャンネル）、録画開始日時／録画終了日時（録画予約時間）、記録画質等が含まれる。
【００２７】
ＭＰＵ１０５は、メモリ１１１に記憶されている制御プログラムに基づいて、ＨＤ及び光ディスクＤに対するデータの記録、再生及び削除、ユーザ操作入力部１１０を介して入力された録画予約情報に対応する録画動作、表示部１０８を用いた表示動作等を制御する。
【００２８】
ＭＰＵ１０５は、一時記録部１０４ｂ、光ディスクドライブ１０４ａ又はＨＤＤ１０４ｄから光ディスクＤ又はハードディスクの管理情報を、録画予約情報テーブル１１１ａから録画予約情報を、取得する。そして、ＭＰＵ１０５は、取得した管理情報等からＨＤＤ１０４ｄに内蔵されているＨＤと、光ディスクドライブ１０４aに装填された光ディスクＤと、の残容量を監視する。
【００２９】
タイマーマイコン１０９は、タイマー回路（時計ユニット）１０９ａ及び録画予約情報テーブル１１１ａをモニタしながら、ユーザにより設定された録画予約情報を管理し、録画開始時刻に達した時点でＭＰＵ１０５に録画開始指示、及び録画終了時刻に達した時点でＭＰＵ１０５に録画終了指示を出力する。
【００３０】
ユーザ操作入力部１１０は、録画キー、再生キー、停止キー、及びその他の操作キーを有しており、これらのキー操作により、ユーザは、録画、再生、録画予約情報の入力及び録画予約情報の変更等が可能である。又、ユーザ操作入力部１１０は、図示しないリモコン（リモートコントロール端末）から送信された制御信号を受け入れるデータ受信部１１０ｂと、ユーザからの直接入力を受付け、制御信号をタイマーマイコン１０９へ出力可能な操作パネル１１０ａと、を有する。
【００３１】
ＨＤ付きＤＶＤレコーダ１の電源が入っている状態又はスタンバイ状態で、ＴＶ番組の録画開始が可能である。スタンバイ状態では、タイマーマイコン１０９、ＭＰＵ１０５、及びメモリ１１１のみに電源が供給されている。
【００３２】
ここで、データプロセッサ１０４ｃ、ＨＤＤ１０４ｄ及びＭＰＵ１０５が、本発明の「ハードディスクドライブ」に相当する。光ディスクドライブ１０４a及びＭＰＵ１０５が、本発明の「光ディスクドライブ」に相当する。
【００３３】
図２は、本発明の実施形態であるＨＤ付きＤＶＤレコーダのＭＰＵ１０５が行う動作を示すフローチャートである。この動作は、録画キーの押下又はタイマーマイコン１０９の録画開始指示がトリガとなって開始される動作である。また、図２で示されているメインルーチンは、上記制御プログラムに関連するルーチンであり、録画キーの押下又はタイマーマイコン１０９の録画開始指示により、制御プログラムからコールされる。
【００３４】
図３は、ＴＶ番組の録画におけるタイムチャートを示す図である。
図３（イ）は、あるＴＶ番組を録画する際に必要となる時間（ｔ３−ｔ１）を示している。図３（ロ）は、該ＴＶ番組を光ディスクＤに録画した際に、ｔ２において光ディスクＤへの記録が不可能となり、該ＴＶ番組を前半までしか録画できなかった様子を示している。記録が不可能となる場合とは、光ディスクＤの残容量が無くなった等の場合である。図３（ハ）は、ｔ２において光ディスクＤへの記録が不可能となり、その続きのＴＶ番組の後半をｔ２から録画した様子を示している。図３（ニ）は、ＴＶ番組の後半の記録が完了した際に、図２の後述のｓ１１において光ディスクＤに記録したＴＶ番組の前半をＴＶ番組の後半とリンクさせてＨＤに記録した様子を示している。
なお、ｔ１、ｔ２、及びｔ３は、時刻を表しており、この順に時間が経過する。
また、図２及び図３では、ＴＶ番組の録画、撮像した動画の録画、インターネットから送信されてくる映像データの録画などを代表して、ＴＶ番組の録画を行う際の動作を説明している。特に、ＴＶ番組に限定する趣旨ではない。
【００３５】
録画キーの押下、又はタイマーマイコン１０９の録画開始指示があると、ＭＰＵ１０５は、図２で示されているメインルーチンを実行し、以下の動作を行う。
【００３６】
まず、ＭＰＵ１０５は、ＴＶ番組の録画を行うため、装置本体１各部の制御を開始する（ｓ１）。すると、ＭＰＵ１０５は、スタンバイ状態であれば電源オンし、光ディスクＤに対し、データの記録を行うための制御を開始し、光ディスクドライブ１０４aは光ディスクＤにＴＶ番組のデータの記録を開始する。
【００３７】
次に、ＭＰＵ１０５は、光ディスクＤの残容量が無くなる直前か否か判断する（ｓ２）。この判断は、ＭＰＵ１０５が光ディスクＤの残容量を監視し、残容量が所定のしきい値を下回っているか否かにより行う。所定のしきい値は、予め設定可能であり、例えば５００Ｋバイト、１００Ｋバイト、１０Ｋバイト、又は１Ｋバイトである。光ディスクＤの残容量が無くなる直前でないと判断すると、ＭＰＵ１０５は、ＴＶ番組の録画が完了したか否か判断する（ｓ１３）。ＴＶ番組の録画が完了した場合とは、停止キーの押下又はタイマーマイコン１０９の録画終了指示があった場合である。録画が完了していないと判断すると、ｓ２に戻り処理を継続する。
つまり、ｓ２及びｓ１３において、ＭＰＵ１０５は、光ディスクドライブ１０４aがデータを光ディスクＤに記録（録画）している間、光ディスクＤの残容量が無くなる直前か否かを常に判断している。
【００３８】
ｓ１３において録画が完了したと判断すると、ＭＰＵ１０５は、ＴＶ番組の録画を光ディスクドライブ１０４aに終了させ（ｓ１４）、本処理を終了する。ｓ１４は、ＨＤを利用するまでもなく、全てのＴＶ番組を光ディスクＤに記録できた場面を想定している。
【００３９】
ｓ２において、光ディスクＤの残容量が無くなる直前であると判断すると、ＭＰＵ１０５は、ＨＤＤ１０４ｄをスタンバイさせる（ｓ３）。具体的には、例えば光ディスクＤの残容量が無くなった場合即ＨＤの空き領域に記録できるよう、記録するための空き領域をＨＤＤ１０４ｄに調べさせておく。
ＭＰＵ１０５は、ＨＤがＴＶ番組の続きのデータ（ＴＶ番組の後半部分）を確保できる容量を有しているか否か判断する（ｓ４）。この判断は、ＭＰＵ１０５がＨＤの残容量を監視することにより行う。
【００４０】
ｓ４において、ＨＤがＴＶ番組の続きのデータを確保できる容量を有していないと判断すると、ＭＰＵ１０５は、本処理を終了する。この場合、ＴＶ番組は、その前半部分のみが光ディスクＤに（図３（ロ）（Ａ）参照）記録される。
【００４１】
一方、ｓ４において、ＨＤがＴＶ番組の続きのデータを確保できる容量を有していると判断すると、ＭＰＵ１０５は、光ディスクＤの残容量が無くなったか否か判断する（ｓ５）。この判断は、ＭＰＵ１０５が光ディスクＤの残容量を監視することにより行う。
光ディスクＤの残容量が無くなるのを待って、ＭＰＵ１０５は、その続きのデータ（ＴＶ番組の後半部分）を継続してＨＤの空き領域に記録することをＨＤＤ１０４ｄにさせる（ｓ６）。併せて、ＭＰＵ１０５は、光ディスクドライブ１０４aに記録を終了させる（ｓ７）。
光ディスクＤの残容量が無くなった場合とは、図３（ロ）のｔ２における状況である。そして、ＨＤＤ１０４ｄがその続きのデータ（ＴＶ番組の後半部分）を継続してＨＤの空き領域に記録する場合とは、図３（ハ）のｔ２における状況である。
【００４２】
ＭＰＵ１０５は、録画が完了したか否か判断する（ｓ８）。この判断は、ｓ１３と同じである。
録画が完了するのを待って、ＭＰＵ１０５は、録画をＨＤＤ１０４ｄに終了させる（ｓ９）。これにより、ＨＤＤ１０４ｄは、ＨＤへのデータの録画を終了する（図３（ハ）のｔ３参照）。ｓ９の時点で、ＨＤには、図３（ハ）（Ｂ）に示すように、ＴＶ番組の後半が記録されている。
【００４３】
録画を終了すると、ＭＰＵ１０５は、光ディスクＤに記録したデータ（ＴＶ番組の前半）を記録できる容量をＨＤが有しているか否か判断する（ｓ１０）。この判断は、ＭＰＵ１０５がＨＤの残容量を監視することにより行う。
【００４４】
光ディスクＤに記録したデータ（ＴＶ番組の前半）を記録できる容量をＨＤが有していないと判断すると、ＭＰＵ１０５は、本処理を終了する。この場合は、従来のＨＤ付きＤＶＤレコーダと同様、ＴＶ番組は、その前半部分が光ディスクＤに（図３（ロ）（Ａ）参照）、その後半部分がＨＤに（図３（ハ）（Ｂ）参照）、分離して記録されたままとなる。
【００４５】
一方、ｓ１０において光ディスクＤに記録したデータ（ＴＶ番組の前半）を記録できる容量をＨＤが有していると判断すると、ＭＰＵ１０５は、光ディスクＤに記録したデータをＨＤに移動させる（ｓ１１）。つまり、光ディスクＤに記録したデータ（ＴＶ番組の前半）を光ディスクドライブ１０４aに読み出させ、その読み出したデータ（ＴＶ番組の前半）を続きのデータ（ＴＶ番組の後半）とリンクさせてＨＤに記録することをＨＤＤ１０４ｄにさせる。このリンクは、データを実際に連続させるという意味でなく、ＨＤの管理情報においてＴＶ番組の前半とＴＶ番組の後半とをリンクするという意味である。これにより、ＴＶ番組は、図３（ニ）に示すように、１つのメディアであるＨＤにまとめて記録される。
【００４６】
以上より、データを光ディスクＤに記録している時にデータの記録が不可能になっても、ＴＶ番組を１つのＨＤに自動でまとめることで、手動編集作業が不要で、且つ容易な再生及びスムーズな再生を行うことができるという効果を奏する。
なお、この実施形態では、ＴＶ番組の録画を行っているが、これに限定されるものではなく、例えばＡＶ入力端子１０１から入力されてくるデータでも構わない。このデータは、撮像した動画、録音した音声、又は映画等である。
【００４７】
続いてＭＰＵ１０５は、光ディスクＤから読み出したデータ（ＴＶ番組の前半）を光ディスクドライブ１０４aに削除させ（ｓ１２）、本処理を終了する。ｓ１２では、光ディスクＤが書換え型の光ディスクである場合を想定している。これにより、光ディスクＤに自動で空き領域ができる。
【００４８】
以上より、光ディスクＤに自動で空き領域ができるため、ユーザがこの領域を無駄にすることなく、自由に使えるという効果を奏する。また、ｓ１１において全てのＴＶ番組がＨＤにまとめて記録されているにも係わらず、ユーザが誤って光ディスクＤを再生するという無駄な作業をユーザに行わさずに済むという効果を奏する。
なお、光ディスクＤが追記型の光ディスクであれば、ＭＰＵ１０５は、ｓ１２をスルーする。光ディスクＤが書換え型か追記型かの判別は、例えばディスクの反射率の測定又はＲＭＡの調査により容易に判別可能である。
【００４９】
以下、本発明の他の実施形態について説明する。
【００５０】
この実施形態のＨＤ付きＤＶＤレコーダは、上記実施形態のＨＤ付きＤＶＤレコーダと、構成において同一である。
【００５１】
図４は、本発明の他の実施形態であるＨＤ付きＤＶＤレコーダのＭＰＵ１０５が行う動作を示すフローチャートである。
本発明の他の実施形態であるＨＤ付きＤＶＤレコーダのＭＰＵ１０５が行う動作は、図２のｓ１２の後にｓ２０の処理を追加した動作であり、その他の処理（ｓ１〜１４）については同じである。
【００５２】
図５は、本発明の他の実施形態であるＨＤ付きＤＶＤレコーダにおいてＴＶ番組を１つのＨＤにまとめた際のＨＤのデータ配置状況を示す概念図である。
図５の（ニ）は、図２のｓ１１において光ディスクＤに記録したデータをＨＤに移動させた時のＨＤのデータ配置状況を示す概念図である。図５の（ニ）は、図３の（ニ）と対応している。図５の（ホ）は、デフラグメンテーションを行った後のＨＤのデータ配置状況を示す概念図である。
【００５３】
ｓ１１において、光ディスクＤに記録したデータ（ＴＶ番組の前半）をＨＤに移動させると、ＨＤのデータ配置は、図５の（ニ）に示すように、まずＴＶ番組の後半が配置され、続いてＴＶ番組の前半が配置される状況となる。このような配置となる理由は、ｓ６においてまずＴＶ番組の後半が記録され、その後に、ｓ１１においてＴＶ番組の前半が記録されるためである。
【００５４】
そのため、ｓ１１において光ディスクＤに記録したデータをＨＤに移動させた段階では、ＨＤに所謂断片化（フラグメンテーション）が発生しており、ＴＶ番組の前半部分を見終わり後半部分をこれから視聴しようという段になると、後半部分が記録されているＨＤの領域にＨＤＤ１０４ｄがアクセス（シーク）する必要がある。
よって、ＨＤＤ１０４ｄがアクセス（シーク）するまでの時間、ユーザを少し待たせるケースが発生する可能性がある。
【００５５】
そこで、この実施形態のＨＤ付きＤＶＤレコーダにおけるＭＰＵ１０５は、ｓ２０においてデフラグメンテーションをＨＤＤ１０４ｄに行わせる。すると、ＨＤのデータ配置状況は、図５の（ホ）に示すように、ＴＶ番組の前半が配置され、続いてＴＶ番組の後半が配置される状況となる。言い換えると、ＴＶ番組の前半とＴＶ番組の後半とが合成され、ＴＶ番組は、１つの連続したデータとなってＨＤに記憶される。
これにより、ＨＤの断片化が解消する。ＴＶ番組の前半部分を見終わり後半部分をこれから視聴しようという段において、後半部分が記録されているＨＤの領域にＨＤＤ１０４ｄがアクセス（シーク）する必要がなくなる。
【００５６】
以上より、データを光ディスクＤに記録している時にデータの記録が不可能になっても、ＴＶ番組を１つのＨＤに自動でまとめることで、手動編集作業が不要で、且つ容易な再生及びよりスムーズな再生を行うことができるという効果を奏する。
【図面の簡単な説明】
【００５７】
【図１】本発明の実施形態であるＨＤ付きＤＶＤレコーダの構成を示すブロック図
【図２】本発明の実施形態であるＨＤ付きＤＶＤレコーダのＭＰＵ１０５が行う動作を示すフローチャート
【図３】ＴＶ番組の録画におけるタイムチャートを示す図
【図４】本発明の他の実施形態であるＨＤ付きＤＶＤレコーダのＭＰＵ１０５が行う動作を示すフローチャート
【図５】本発明の他の実施形態であるＨＤ付きＤＶＤレコーダにおいてＴＶ番組を１つのＨＤにまとめた際のＨＤのデータ配置状況を示す概念図
【符号の説明】
【００５８】
１−ＨＤ付きＤＶＤレコーダ
１０１−映像信号入力端子
１０２−ＴＶチューナ
１０３−エンコーダ部
１０４−記録再生部
１０４a−光ディスクドライブ
１０４ｂ−一時記録部
１０４ｃ−データプロセッサ
１０４ｄ−ＨＤＤ
１０５−マイクロプロセッサユニット
１０６−デコーダ部
１０７−映像出力端子
１０８−表示部
１０９−タイマーマイコン
１０９ａ−タイマー回路（時計ユニット）
１１０−ユーザ操作入力部
１１０ａ−操作パネル
１１０ｂ−データ受信部
１１１−メモリ
１１１ａ−録画予約情報テーブル
【図１】
2007149189.tif 000003
【図２】
2007149189.tif 000004
【図３】
2007149189.tif 000005
【図４】
2007149189.tif 000006
【図５】
2007149189.tif 000007